(57)【要約】  本発明は、原稿押さえ装置により原稿を保持した状態で原稿を走査して読み取る画像読取装置に利用可能である。本発明の利用により、原稿押さえ装置を僅かに持ち上げた状態で原稿を所望の位置にセット可能な操作性に優れた画像読取装置及びそれを備えた画像形成装置を提供することができる。
2015198636.tif 000002
【特許請求の範囲】
【請求項１】
上面にコンタクトガラスが固定された原稿載置台と、
該原稿載置台の一端にヒンジ部を介して開閉可能に支持され、裏面側に前記コンタクトガラス上に載置された原稿を押圧する原稿押圧部を有する原稿押さえ装置と、
を備え、
前記原稿押圧部が前記コンタクトガラスに当接する閉鎖位置に前記原稿押さえ装置を配置して前記コンタクトガラス上に載置された原稿を読み取る画像読取装置において、
前記原稿押さえ装置には、前記原稿押さえ装置の表裏面方向に光を透過する光透過窓が形成されており、
前記光透過窓は、前記原稿押さえ装置が前記閉鎖位置にあるとき前記コンタクトガラスに重ならない位置にあり、前記原稿押さえ装置が前記閉鎖位置から開方向に移動したとき、前記光透過窓を透過した透過光が前記コンタクトガラス上に到達することを特徴とする画像読取装置。
【請求項２】
前記光透過窓は、前記原稿押圧部に重ならない前記ヒンジ部の近傍に形成されることを特徴とする請求項１に記載の画像読取装置。
【請求項３】
前記光透過窓には、前記原稿押さえ装置の表面側から入射した光を前記コンタクトガラスに近づく方向に屈折させて前記原稿押さえ装置の裏面側から出射させる光透過性部材が嵌め込まれていることを特徴とする請求項１に記載の画像読取装置。
【請求項４】
前記光透過窓は、前記原稿押さえ装置の開閉方向と直交する幅方向の中央部に形成されることを特徴とする請求項２に記載の画像読取装置。
【請求項５】
前記光透過窓には、前記原稿押さえ装置の表面側から入射した光を前記原稿載置台の幅方向に広がる方向に屈折させて前記原稿押さえ装置の裏面側から出射させる光透過性部材が嵌め込まれていることを特徴とする請求項４に記載の画像読取装置。
【請求項６】
前記光透過窓には、前記原稿押さえ装置の表面側から入射した光を散乱光として前記原稿押さえ装置の裏面側から出射させる光透過性部材が嵌め込まれていることを特徴とする請求項１に記載の画像読取装置。
【請求項７】
請求項１に記載の画像読取装置が搭載された画像形成装置。
【発明の詳細な説明】
【技術分野】
【０００１】
本発明は、デジタル複写機やイメージスキャナー等に用いられる、原稿を走査して読み取る画像読取装置及びそれを備えた画像形成装置に関する。
【背景技術】
【０００２】
従来、ミラースキャン方式の複写機などにおいては、原稿読取部の原稿台に固定されたコンタクトガラス上に原稿を載置し、コンタクトガラスの下方に設けられ光源及びミラーが搭載されたキャリッジを所定の駆動装置で原稿面と平行に移動（走査）させることにより、原稿画像を読み取る画像読取装置が広く用いられている。【０００３】
このような画像読取装置では、コンタクトガラス上に原稿をセットした後、上から原稿押さえ装置で押さえて原稿を保持、遮光した状態で原稿画像の読み取りを行う。このとき、原稿押さえ装置を僅かに持ち上げた状態（半閉まり状態）で原稿をセットする状況が想定される。このとき、コンタクトガラス上が原稿押さえ装置によって遮光されるため、原稿の視認性が低下して原稿を所望の位置にセットし難いという問題点があった。【０００４】
コンタクトガラス上の原稿のセット位置を容易に認識する方法として、例えば特許文献１には、コンタクトガラス上に載置した原稿の上に載置され、原稿載置位置を決定するための透明若しくは半透明の原稿積載位置表示部材を設ける画像読取装置が開示されている。この画像読取装置では、原稿積載位置表示部材に表示された用紙サイズの枠が、複写機の感光体が感光しにくい色によって印刷されている画像読取装置が開示されている。
【先行技術文献】
【特許文献】
【０００５】
【特許文献１】特開平５−２７３６７０号公報
【発明の概要】
【発明が解決しようとする課題】
【０００６】
しかしながら、特許文献１の方法においても、原稿押さえ装置を僅かに持ち上げた状態では原稿押さえ装置によってコンタクトガラス上が遮光されて暗くなる。そのため、原稿積載位置表示部材に印刷された用紙サイズ枠を読み取れないという問題点があった。【０００７】
本発明は、上記問題点に鑑み、原稿押さえ装置を僅かに持ち上げた状態でも原稿を所望の位置にセット可能な画像読取装置及びそれを備えた画像形成装置を提供することを目的とする。
【課題を解決するための手段】
【０００８】
上記目的を達成するために本発明の第１の構成は、原稿載置台と、原稿押さえ装置と、を備えた画像読取装置である。原稿載置台は、上面にコンタクトガラスが固定される。原稿押さえ装置は、原稿載置台の一端にヒンジ部を介して開閉可能に支持され、裏面側にコンタクトガラス上に載置された原稿を押圧する原稿押圧部を有する。そして、原稿押圧部がコンタクトガラスに当接する閉鎖位置に原稿押さえ装置を配置してコンタクトガラス上に載置された原稿を読み取る。原稿押さえ装置には、原稿押さえ装置の表裏面方向に光を透過する光透過窓が形成されており、光透過窓は、原稿押さえ装置が閉鎖位置にあるときコンタクトガラスに重ならない位置にあり、原稿押さえ装置が閉鎖位置から開方向に移動したとき、光透過窓を透過した透過光がコンタクトガラス上に到達する。
【発明の効果】
【０００９】
本発明の第１の構成によれば、原稿押さえ装置が半閉まり状態であるとき光透過窓を透過した光がコンタクトガラス上に到達する。従って、コンタクトガラス上に載置された原稿の視認性が向上し、原稿押さえ装置を原稿載置台から僅かに持ち上げた状態でも原稿のセット作業を行うことができる。また、光透過窓は、原稿押さえ装置が閉鎖位置にあるときコンタクトガラスに重ならない位置にあるため、光透過窓からの透過光が原稿の読み取りに悪影響を及ぼすおそれもない。
【図面の簡単な説明】
【００１０】
【図１】本発明の画像読取装置６が搭載される画像形成装置１００の全体構成を示す概略図
【図２】本発明の画像読取装置６の側面断面図
【図３】本発明の第１実施形態に係る画像読取装置６の斜視図であり、プラテン２４を開放した状態を示す図
【図４】図３の状態からプラテン２４を所定角度だけ閉じた状態を示す斜視図
【図５】図４における画像読取装置６の光透過窓３１を含む側面断面図
【図６】図４の状態からプラテン２４を完全に閉じた状態を示す斜視図
【図７】図６における画像読取装置６の光透過窓３１を含む側面断面図
【図８】本発明の第２実施形態に係る画像読取装置６の光透過窓３１を含む側面断面図であり、プラテン２４を所定角度だけ閉じた状態を示す図
【図９】本発明の第３実施形態に係る画像読取装置６の光透過窓３１を含む正面断面図であり、プラテン２４を所定角度だけ閉じた状態を示す図
【図１０】本発明の第４実施形態に係る画像読取装置６の光透過窓３１を含む正面断面図であり、プラテン２４を所定角度だけ閉じた状態を示す図
【発明を実施するための形態】
【００１１】
以下、図面を参照しながら本発明の実施形態について説明する。図１は、本発明の画像読取装置６が搭載された画像形成装置１００の内部構成を示す概略断面図である。図１において、画像形成装置１００（ここでは一例としてデジタル複合機を示す）では、コピー動作を行う場合、画像読取装置６において原稿の画像データを読み取り画像信号に変換する。一方、複合機本体２内の画像形成部３において、図中の時計回り方向に回転する小径の感光体ドラム５が帯電ユニット４により均一に帯電される。そして、露光ユニット（レーザ走査ユニット等）７からのレーザービームにより、画像読取装置６で読み取られた原稿画像データに基づく静電潜像が感光体ドラム５上に形成され、現像ユニット８により静電潜像に現像剤（以下、トナーという）が付着されてトナー像が形成される。この現像ユニット８へのトナーの供給はトナーコンテナ９から行われる。
【００１２】
上記のようにトナー像が形成された感光体ドラム５に向けて、用紙が給紙機構１０から用紙搬送路１１及びレジストローラー対１２を経由して画像形成部３に搬送され、この画像形成部３において転写ローラー１３（画像転写部）により感光体ドラム５の表面におけるトナー像が用紙に転写される。そして、トナー像が転写された用紙は感光体ドラム５から分離され、定着ローラー対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２によって搬送方向が振り分けられる。搬送方向が振り分けられた用紙は、そのまま（或いは、反転搬送路１６に送られて両面コピーされた後に）、排出ローラー対２０ａ、２０ｂを介して第１排出トレイ１７ａ、第２排出トレイ１７ｂから成る用紙排出部に排出される。
【００１３】
また、感光体ドラム５の回転方向に対しクリーニング装置１８の下流側には、感光体ドラム５の表面の残留電荷を除去する除電装置（図示せず）が設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃを備えている。これらの給紙カセット１０ａ、１０ｂ、スタックバイパス１０ｃは用紙搬送路１１によって感光体ドラム５及び現像ユニット８等からなる画像形成部３に繋がっている。画像読取部６の一端には、コンタクトガラス２５（図２参照）上に載置される原稿を押さえて保持するプラテン（原稿押さえ装置）２４が開閉可能に設けられている。
【００１４】
用紙搬送路１５は、具体的には、定着ローラー対１４ａの下流側において、まず左右二股に分岐し、一方の経路（図１では右方向に分岐する経路）は第１排出トレイ１７ａに連通するように構成されている。そして、他方の経路（図１では左方向に分岐する経路）は搬送ローラー対１９を経由して上下二股に分岐し、一方の経路（図１では上方向に分岐する経路）は第２排出トレイ１７ｂに連通するように構成されている。これに対し、他方の経路（図１では下方向に分岐する経路）は反転搬送路１６に連通するように構成されている。
【００１５】
続いて、原稿の画像を電気信号として読み取るための画像読取装置６の構成について説明する。図２は、本実施形態に係る画像読取装置６の内部構造を示す側面断面図である。画像読取装置６のフレーム６ａ内には、原稿の画像面に向けて光を照射するランプ（光源）６１と、このランプ６１からの光を効率よく原稿の画像面に与えるための反射板６２と、原稿反射光を直接に受けて反射させる第１ミラー６３と、この第１ミラー６３からの反射光を受けて反射させる第２ミラー６４と、この第２ミラー６４からの反射光を受けて反射させる第３ミラー６５と、が配設されている。
【００１６】
また、この第３ミラー６５からの反射光を導入して集光するレンズ群（不図示）を保持した鏡胴６６と、この鏡胴６６のレンズ群で集光された原稿反射光を受けて電気信号に変換する光電変換素子を備えたライン型のＣＣＤ（光電変換部材）センサー６７と、がベースプレート７０上に配設されている。なお、原稿反射光の光路を一点鎖線で示す。
【００１７】
ここで、ランプ６１、反射板６２及び第１ミラー６３は第１キャリッジ６８上に一体的に固定され、また、第２ミラー６４及び第３ミラー６５は第２キャリッジ６９上に一体的に固定されている。これらの第１及び第２キャリッジ６８、６９は、走査手段を構成しており、相互に連携しながら独立して往復移動可能になっている。
【００１８】
コンタクトガラス２５上に載置された原稿画像の読取動作が行われる際は、第１キャリッジ６８と第２キャリッジ６９は相互に原稿反射光の光路長を一定に維持しながらコンタクトガラス２５の画像読取領域Ｒの下方を往復移動（走査移動）する。また、第１キャリッジ６８及び第２キャリッジ６９は、不図示のキャリッジ駆動モーターにより駆動されるようになっている。
【００１９】
このような構成のもと、ランプ６１から照射されて原稿の画像面で反射した原稿反射光は、第１ミラー６３〜第３ミラー６５で反射して鏡胴６６内のレンズ群に導入され、レンズ群で集光されてＣＣＤセンサー６７上に結像する。そして、このＣＣＤセンサー６７で光電変換処理がなされ、結像された画像光はＣＣＤセンサー６７において画素分解され、各画素の濃度に応じた電気信号に変換されて画像の読み取りが行われる。
【００２０】
図３は、本発明の第１実施形態に係る画像読取装置６の斜視図であり、プラテン２４を開放した状態を示している。画像読取装置６は、フレーム６ａ（原稿載置台）の上面に設けられたコンタクトガラス２５と、コンタクトガラス３５上に載置された原稿Ｄを押圧して保持するプラテン２４を備えており、プラテン２４は、フレーム６ａの上面の端部２箇所に設けられたヒンジ部２７により上下方向に開閉可能に支持されている。また、プラテン２４の裏面には、原稿Ｄを直接押圧する白色マット３０（原稿押圧部）が設けられている。
【００２１】
また、プラテン２４は、２箇所のヒンジ部２７の間であって白色マット３０に重ならない位置に光透過窓３１を備えている。光透過窓３１は、プラテン２４に形成された矩形状の開口に透明樹脂やガラス等の光透過性部材３３（図５参照）を嵌め込んで形成されている。
【００２２】
図４は、図３の状態からプラテン２４を所定角度だけ閉じた状態を示す第１実施形態の画像読取装置６の斜視図であり、図５は、図４における画像読取装置６の光透過窓３１を含む部分断面図（図４のＡＡ′矢視断面図）である。本実施形態の画像読取装置６では、プラテン２４に光透過窓３１が設けられているため、図５に示すように、プラテン２４が半閉まり状態であっても光透過窓３１を透過した光がコンタクトガラス２５上に到達する。従って、コンタクトガラス２５上に載置された原稿Ｄの視認性が向上し、プラテン２４を僅かに持ち上げた状態で原稿Ｄのセット作業を行うことができる。また、光透過窓３１を白色マット３０に重ならないヒンジ部２７の近傍に形成したので、プラテン２４が半閉まり状態であるとき、特にプラテン２４の影になって暗くなりやすいコンタクトガラス２５の奥側に効果的に導光することができる。
【００２３】
図６は、図４の状態からプラテン２４を完全に閉じた状態を示す第１実施形態の画像読取装置６の斜視図であり、図７は、図６における画像読取装置６の部分断面図（図６のＢＢ′矢視断面図）である。図７に示すように、プラテン２４を完全に閉じた状態では白色マット３０がコンタクトガラス２５に対して均一に押圧される。その結果、コンタクトガラス２５上に載置された原稿Ｄは、白色マット３０によって裏面側から押圧されることで原稿面がコンタクトガラス２５に密着する。この状態で、第１キャリッジ６８と第２キャリッジ６９（図２参照）が原稿反射光の光路長を一定に維持しながらコンタクトガラス２５の画像読取領域Ｒの下方を往復移動することで原稿画像の読み取りが行われる。
【００２４】
このように、プラテン２４を完全に閉じた状態では光透過窓３１はコンタクトガラス２５に重ならない位置にあり、白色マット３０によってコンタクトガラス２５上が遮蔽されるため、光透過窓３１を透過した透過光（図７の白矢印）は原稿Ｄ上に到達しない。従って、光透過窓３１からの透過光が原稿Ｄの読み取りに悪影響を及ぼすおそれはない。
【００２５】
なお、本実施形態ではプラテン２４に形成された開口に光透過性部材３３を嵌め込んだ構成の光透過窓３１としたが、光透過性部材３３を嵌め込まずに開口のみからなる光透過窓３１としても良い。
【００２６】
図８は、プラテン２４を開放状態から所定角度だけ閉じた状態を示す第２実施形態の画像読取装置６の部分断面図である。本実施形態では、光を屈折させるレンズ状の光透過性部材３３が光透過窓３１に嵌め込まれている。画像読取装置６の他の部分の構成は第１実施形態と同様であるため説明を省略する。
【００２７】
これにより、光透過窓３１を透過した透過光がコンタクトガラス２５上に載置された原稿Ｄの方向に導光されるため、プラテン２４が半閉まり状態であっても原稿Ｄの視認性がより向上する。
【００２８】
図９は、プラテン２４を開放状態から所定角度だけ閉じた状態を示す第３実施形態の画像読取装置６を正面側（プラテン２４の回動端側）から見た部分断面図である。本実施形態では、第１実施形態と同様に光を屈折させるレンズ状の光透過性部材３３が光透過窓３１に嵌め込まれているが、光透過性部材３３の形状が第１実施形態と異なっている。画像読取装置６の他の部分の構成は第１、第２実施形態と同様であるため説明を省略する。
【００２９】
図９に示すように、光透過性部材３３は、光入射面（図９の上面）が平面、光出射面（図９の下面）が凸面であり、光透過窓３１の幅方向（図９の左右方向）両端から中央に向かって厚みが大きくなっている。光透過性部材３３に入射した光（図９の白矢印）は、光透過性部材３３を透過することで、コンタクトガラス２５の幅方向（図９の左右方向）に向かって屈折する。
【００３０】
これにより、光透過窓３１を透過した透過光は、コンタクトガラス２５上に載置された原稿Ｄの中央から幅方向外側に拡散して導光されるため、プラテン２４が半閉まり状態であっても原稿Ｄの幅方向全域に亘って視認性がより向上する。
【００３１】
図１０は、プラテン２４を開放状態から所定角度だけ閉じた状態を示す第４実施形態の画像読取装置６を正面側（プラテン２４の回動端側）から見た部分断面図である。本実施形態では、透過光を拡散させる光透過性部材３３が光透過窓３１に嵌め込まれている。画像読取装置６の他の部分の構成は第１〜第３実施形態と同様であるため説明を省略する。
【００３２】
図１０に示すように、光透過性部材３３は、光入射面（図１０の上面）が平面であり、光出射面（図１０の下面）がシボ（梨面）加工されている。光透過性部材３３に入射した光（図１０の白矢印）は、光透過性部材３３を透過することで、不規則な方向に散乱する散乱光となる。
【００３３】
これにより、光透過窓３１を透過した透過光が散乱光となってコンタクトガラス２５上に拡散されて導光されるため、プラテン２４が半閉まり状態であっても原稿Ｄの幅方向および奥行方向の視認性がより向上する。
【００３４】
その他本発明は、上記各実施形態に限定されず、本発明の趣旨を逸脱しない範囲で種々の変更が可能である。例えば、上記第２実施形態と第３実施形態を組み合わせ、光透過窓３１を透過した光がコンタクトガラス２５に近づく方向（図８の左方向）と、コンタクトガラス２５の幅方向（図９の左右方向）の両方向に屈折するような光透過性部材３３を用いることで、第４実施形態と同様に原稿Ｄの幅方向および奥行方向の視認性を向上させることができる。
【００３５】
また、上記各実施形態では、プラテン２４の上面に自動原稿搬送装置（Auto  Document  Feeder）を備えていない画像読取装置６を例にあげて説明したが、本発明は、自動原稿搬送装置を備えた画像読取装置にも適用可能である。その場合、自動原稿搬送装置を構成する外装カバーや原稿トレイの一部を透明材料で形成するか、若しくは開口を設けて光透過窓３１とすれば良い。このようにすれば、重量の重い自動原稿搬送装置を備えたプラテン２４を半閉まり状態として原稿のセットや入れ替えが可能となり、ユーザーの作業負担を軽減することができる。
【００３６】
また、上記各実施形態では、画像読取装置６の読取方式として、図２に示したようなＣＣＤセンサー６７を用いたＣＣＤセンサー方式を例にあげて説明したが、本発明はＣＭＯＳ（Complementary  MOS）センサーと呼ばれる光電変換素子を使用したＣＩＳセンサー方式の画像読取装置にも全く同様に適用可能である。
【００３７】
また、本発明の画像読取装置が搭載される画像形成装置としては、図１に示したデジタル複合機に限らず、アナログ方式の複写機やカラー複写機等の、他のタイプの画像形成装置、或いは画像形成装置と別体で用いられるイメージスキャナーにも適用できるのはもちろんである。
【産業上の利用可能性】
【００３８】
本発明は、原稿押さえ装置により原稿を保持した状態で原稿を走査して読み取る画像読取装置に利用可能である。本発明の利用により、原稿押さえ装置を僅かに持ち上げた状態で原稿を所望の位置にセット可能な操作性に優れた画像読取装置及びそれを備えた画像形成装置を提供することができる。
【図１】
2015198636.tif 000003
【図２】
2015198636.tif 000004
【図３】
2015198636.tif 000005
【図４】
2015198636.tif 000006
【図５】
2015198636.tif 000007
【図６】
2015198636.tif 000008
【図７】
2015198636.tif 000009
【図８】
2015198636.tif 000010
【図９】
2015198636.tif 000011
【図１０】
2015198636.tif 000012
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
上面にコンタクトガラスが固定された原稿載置台と、
該原稿載置台の一端にヒンジ部を介して開閉可能に支持され、裏面側に前記コンタクトガラス上に載置された原稿を押圧する原稿押圧部を有する原稿押さえ装置と、
を備え、
前記原稿押圧部が前記コンタクトガラスに当接する閉鎖位置に前記原稿押さえ装置を配置して前記コンタクトガラス上に載置された原稿を読み取る画像読取装置において、
前記原稿押さえ装置には、前記原稿押さえ装置の表裏面方向に光を透過する光透過窓が形成されており、
前記光透過窓は、前記原稿押さえ装置が前記閉鎖位置にあるとき前記コンタクトガラスに重ならない位置にあり、前記原稿押さえ装置が前記閉鎖位置から開方向に移動したとき、前記光透過窓を透過した透過光が前記コンタクトガラス上に到達し、
前記光透過窓には、前記原稿押さえ装置の表面側から入射した光を前記コンタクトガラスに近づく方向に屈折させて前記原稿押さえ装置の裏面側から出射させる光透過性部材が嵌め込まれていることを特徴とする画像読取装置。
【請求項２】
前記光透過窓は、前記原稿押圧部に重ならない前記ヒンジ部の近傍に形成されることを特徴とする請求項１に記載の画像読取装置。
【請求項３】
前記光透過窓は、前記原稿押さえ装置の開閉方向と直交する幅方向の中央部に形成されることを特徴とする請求項２に記載の画像読取装置。
【請求項４】
上面にコンタクトガラスが固定された原稿載置台と、
該原稿載置台の一端にヒンジ部を介して開閉可能に支持され、裏面側に前記コンタクトガラス上に載置された原稿を押圧する原稿押圧部を有する原稿押さえ装置と、
を備え、
前記原稿押圧部が前記コンタクトガラスに当接する閉鎖位置に前記原稿押さえ装置を配置して前記コンタクトガラス上に載置された原稿を読み取る画像読取装置において、
前記原稿押さえ装置には、前記原稿押さえ装置の表裏面方向に光を透過する光透過窓が形成されており、
前記光透過窓は、前記原稿押さえ装置が前記閉鎖位置にあるとき前記コンタクトガラスに重ならない位置にあり、前記原稿押さえ装置が前記閉鎖位置から開方向に移動したとき、前記光透過窓を透過した透過光が前記コンタクトガラス上に到達し、
前記光透過窓は、前記原稿押圧部に重ならない前記ヒンジ部の近傍であって前記原稿押さえ装置の開閉方向と直交する幅方向の中央部に形成され、
前記光透過窓には、前記原稿押さえ装置の表面側から入射した光を前記原稿載置台の幅方向に広がる方向に屈折させて前記原稿押さえ装置の裏面側から出射させる光透過性部材が嵌め込まれていることを特徴とする画像読取装置。
【請求項５】
請求項１乃至請求項４のいずれかに記載の画像読取装置が搭載された画像形成装置。
【国際調査報告】
2015198636.tif 000013
2015198636.tif 000014